(57)【特許請求の範囲】
【請求項１】
前面に開口を有する機枠に対し、前記開口を開閉するための前扉が左右何れかの側縁を軸として片開き可能に取り付けられた遊技機であって、
前記前扉が、金属製の枠状で中央に開口を有する後側部材と、該後側部材の前面に設置される前側部材とからなり、
前記後側部材の少なくとも開放側の側縁に沿って前方へ突出する外壁部を設けるとともに、前記後側部材の開口に沿って前方へ突出する内壁部を設け、
前記後側部材の開放側の側部においては、前記前側部材の左右両側面の後端部が前記外壁部や前記内壁部と左右方向で重なるように、前記前側部材を前記外壁部と前記内壁部との間に設置したことを特徴とする遊技機。
【請求項２】
前記外壁部の後部を後方へ突出させて被覆部を形成し、
前記前扉を閉塞した際、前記被覆部が、前記機枠の表面と重なって前記前扉と前記機枠との隙間を被覆するようにするとともに、
前記後側部材の後面側に、前記後側部材の開口を塞ぐようにガラス板を支持するための支持部材を設ける一方、
前記内壁部の後部を後方へ突出させて被り部を形成し、
前記ガラス板を前記支持部材に支持させた際、前記被り部の先端が前記ガラス板の前面に近接するとともに、前記支持部材における前記ガラス板の周縁を越えて前方へ突出する突出部と、前記被り部とが、前記フレーム部材の後面側において左右方向で重なるようにしたことを特徴とする請求項１に記載の遊技機。
【請求項３】
前記前側部材がＬＥＤランプを備えたランプ部材を含むことを特徴とする請求項１又は２に記載の遊技機。
【発明の詳細な説明】
【技術分野】
【０００１】
本発明は、遊技機本体を支持する機枠に対して、その前面を閉塞するように前扉が片開き可能に取り付けられてなる遊技機に関するものである。
【背景技術】
【０００２】
従来、遊技機の一例であるパチンコ機においては、パチンコ機本体を支持する機枠の前面開口部に、前面に遊技領域が形成されてなる遊技盤がミドル枠を介して取り付けられている。また、機枠には、該遊技盤の前方を閉塞する（すなわち、機枠の前面開口を閉塞する）ためのガラス板を備えた前扉が片開き可能に取り付けられている（たとえば特許文献１）。そして、前扉は、デザインの自由度を安価に高めるべく、一般的に合成樹脂により成形されていた。
【先行技術文献】
【特許文献】
【０００３】
【特許文献１】特開２００９−１８９６５５号公報
【発明の概要】
【発明が解決しようとする課題】
【０００４】
しかしながら、上記パチンコ機に対して、熱したピアノ線を押し当てる等して前扉に遊技領域まで貫通する孔を開け、該孔から不正具を差し込んで各種入賞部材に遊技球を入賞させるといった不正行為が行われることがあった。そこで、当該不正行為を防止すべく、前扉の後面に金属板を取り付けるとした構成が考案されている。しかしながら、当該構成では、前扉に対してねじれ方向へ強い負荷をかけると、金属板の前面と、その前面に位置する部材との間に隙間が生じてしまい、該隙間を利用して不正具が差し込まれるというおそれがある。
【０００５】
そこで、本発明は、上記問題に鑑みなされたものであって、前扉を強引にねじられたとしても上述したような隙間が生じず、不正行為をより確実に阻止することができる遊技機を提供しようとするものである。
【課題を解決するための手段】
【０００６】
上記目的を達成するために、本発明のうち請求項１に記載の発明は、前面に開口を有する機枠に対し、前記開口を開閉するための前扉が左右何れかの側縁を軸として片開き可能に取り付けられた遊技機であって、前記前扉が、金属製の枠状で中央に開口を有する後側部材と、該後側部材の前面に設置される前側部材とからなり、前記後側部材の少なくとも開放側の側縁に沿って前方へ突出する外壁部を設けるとともに、前記後側部材の開口に沿って前方へ突出する内壁部を設け、前記後側部材の開放側の側部においては、前記前側部材の左右両側面の後端部が前記外壁部や前記内壁部と左右方向で重なるように、前記前側部材を前記外壁部と前記内壁部との間に設置したことを特徴とする。
請求項２に記載の発明は、請求項１に記載の発明において、前記外壁部の後部を後方へ突出させて被覆部を形成し、前記前扉を閉塞した際、前記被覆部が、前記機枠の表面と重なって前記前扉と前記機枠との隙間を被覆するようにするとともに、前記後側部材の後面側に、前記後側部材の開口を塞ぐようにガラス板を支持するための支持部材を設ける一方、前記内壁部の後部を後方へ突出させて被り部を形成し、前記ガラス板を前記支持部材に支持させた際、前記被り部の先端が前記ガラス板の前面に近接するとともに、前記支持部材における前記ガラス板の周縁を越えて前方へ突出する突出部と、前記被り部とが、前記フレーム部材の後面側において左右方向で重なるようにしたことを特徴とする。
請求項３に記載の発明は、請求項１又は２に記載の発明において、前記前側部材がＬＥＤランプを備えたランプ部材を含むことを特徴とする。
【発明の効果】
【０００７】
本発明によれば、金属製の枠状で中央に開口を有する後側部材と、該後側部材の前面に設置される前側部材とからなり、後側部材の少なくとも開放側の側縁に沿って前方へ突出する外壁部を設けるとともに、後側部材の開口に沿って前方へ突出する内壁部を設け、後側部材の開放側の側部においては、前側部材の左右両側面の後端部が外壁部や内壁部と左右方向で重なるように、前側部材を外壁部と内壁部との間に設置している。すなわち、外壁部が遊技機の側面に露出する。そのため、たとえ前扉に対してねじれ方向へ強い負荷をかけたとしても、後側部材の前面と前側部材の後面との間に生じる隙間が外面に露出しない。したがって、遊技機の側面から熱したピアノ線等を押し当てて孔を開けるといった不正行為は勿論、前扉に対してねじれ方向へ強い負荷をかけるといった不正行為についても効果的に防止することができる。また、金属製の外壁部が遊技機の側面に露出することで、今までにない斬新なデザインとすることができ、前扉、ひいては遊技機の意匠性を向上することができる。
また、請求項２に記載の発明によれば、外壁部の後部を後方へ突出させて被覆部を形成しており、前扉を閉塞した際、被覆部が、機枠の表面と重なって前扉と機枠との隙間を被覆するため、当該隙間からピアノ線等を侵入させるといった不正行為についても防止することができ、防犯性の一層の向上を図ることができる。加えて、内壁部の後部を後方へ突出させて被り部を形成し、ガラス板を支持部材に支持させた際、被り部の先端がガラス板の前面に近接するとともに、支持部材におけるガラス板の周縁を越えて前方へ突出する突出部と、被り部とが、フレーム部材の後面側において左右方向で重なるように構成している。したがって、ガラス板とフレーム部材との隙間からのピアノ線等の侵入をも防止することができ、極めて高い防犯効果を発揮することができる。
さらに、請求項３に記載の発明によれば、金属製の後側部材の前面にＬＥＤランプを備えたランプ部材を設置しているため、ランプ部材から生じる熱を外壁部から遊技機外へ効率良く逃がすことができ、ランプ部材の放熱機構の合理化を図ることができる。
【図面の簡単な説明】
【０００８】
【図１】パチンコ機を前面側から示した説明図である。
【図２】パチンコ機を後面側から示した説明図である。
【図３】カバー部材の内部を示した説明図である。
【図４】前扉の右側のランプ部材部分を分解して示した斜視説明図である。
【図５】扉本体を示した斜視説明図である。
【図６】フレーム部材を示した斜視説明図である。
【図７】レンズカバーを示した斜視説明図である。
【図８】組み立て状態にある前扉の右側のランプ部材の左右方向での断面を示した説明図である。
【図９】組み立て状態にある前扉の左側のランプ部材の左右方向での断面を示した説明図である。
【発明を実施するための形態】
【０００９】
以下、本発明の一実施形態となるパチンコ機について、図面にもとづき詳細に説明する。
【００１０】
（パチンコ機の説明）
図１は、パチンコ機１を前面側から示した説明図である。また、図２は、パチンコ機１を後面側から示した説明図であり、図３は、カバー部材４４の内部を示した説明図である。
パチンコ機１は、遊技盤２の前面に形成された遊技領域２ａ内へ遊技球を打ち込み、遊技領域２ａ内を流下させて遊技するものであって、遊技盤２は、機枠を構成する要素の一つであり支持体として機能する機枠本体３の前面上部に、合成樹脂製のミドル枠５を介して設置されている。該機枠本体３は、金属（たとえば、アルミニウム）製であって、前面に開口を有するフレーム状に形成されている。また、ミドル枠５は、機枠本体３同様に、機枠を構成する要素の一つであって、機枠本体３に対して片開き可能に蝶着されており、上記遊技盤２は、機枠本体３の開口内に位置している。さらに、遊技盤２の前方には、ガラス板を嵌め込み設置してなる前扉４が、左端縁を軸として片開き可能に機枠本体３に蝶着されており、機枠本体３及びミドル枠５からなる機枠の前面開口を開閉可能としている。そして、前扉４によって閉塞される遊技盤２の前方空間が遊技領域２ａとなっている。
【００１１】
当該遊技領域２ａは、遊技盤２の前面に円弧状に配設された外レール及び内レール等によって囲まれており、両レール間が遊技球を遊技領域２ａ内へ打ち込むための発射通路とされている。また、遊技領域２ａの略中央には、「０」〜「９」の数字や絵柄等からなる「図柄」を表示するための図柄表示部６が設けられている。さらに、遊技領域２ａには、遊技球が通過可能なゲート部材４１、一対の爪片を開閉動作可能に備えたチューリップ式電動役物１７、開閉可能な扉部材を有する大入賞装置１８、多数の遊技釘４２、４２・・や風車４３等が設置されている。
【００１２】
また、機枠本体３の前面側であって上記遊技盤２の下方には、遊技球を発射装置１０へ供給するための供給皿７、及び供給皿７から溢れた遊技球を貯留するための貯留皿８が設置されており、どちらも前扉４やミドル枠５の開放等に伴い機枠本体３に対して片開き可能となっている。さらに、貯留皿８の右側には、発射装置１０を作動させるためのハンドル９が回動操作可能に設置されている。加えて、供給皿７の前方には、遊技者が押し込み操作可能な押しボタン１６が設けられている。
さらに、前扉４の上部には、効果音や各種メッセージ等を報音する一対のスピーカ１４、１４が設けられており、前扉４の側部には、パチンコ機１の遊技状態等に応じて点灯・点滅する複数のＬＥＤランプを備えたランプ部材１５、１５が設けられている。
【００１３】
一方、機枠本体３の後面側には、供給皿７へ貸球や賞品球として払い出される遊技球を貯留するための貯留タンク１１、当該貯留タンク１１と連結された払出装置１２、払出装置１２における払い出し動作を制御する払出制御装置４８、及び各制御基板や装置・部材に電源電圧を供給するための電源装置４９等が設置されている。また、４４は、合成樹脂製のカバー部材であって、当該カバー部材４４の内部には、図柄表示部６に「図柄」を表示させるための液晶表示装置（図示せず）、遊技に係る主たる制御（たとえば、所謂「大当たり抽選」等）を実行するためのメイン制御装置２０、図柄表示部６における表示動作等を制御する表示制御装置４７、及び払出装置１２や表示制御装置４７、スピーカ１４やランプ部材１５等の動作を統合的に制御するサブ制御装置２２等が設置されている。尚、４５は、パチンコ機１をトランスに接続するためのプラグであり、４６は、アースである。
【００１４】
以上のようなパチンコ機１では、遊技者によってハンドル９が回動操作されると、発射装置１０が作動して遊技球が遊技領域２ａ内へ打ち込まれる。そして、遊技領域２ａ内を流下する遊技球がチューリップ式電動役物１７へ入賞すると、メイン制御装置２０にて「大当たり抽選」を行い、所謂「大当たり」である場合には、図柄表示部６に「図柄」を所定態様（たとえば、「７、７、７」等）で表示させた後、大入賞装置１８の扉部材を所定回数にわたって断続的に開成させるといった所謂「大当たり状態」を生起させる。
【００１５】
（前扉の説明）
ここで、本発明の要部となる前扉４について詳細に説明する。
図４は、前扉４の右側のランプ部材１５部分を分解して示した斜視説明図である。図５は、扉本体２５を示した斜視説明図であり、図６は、フレーム部材２６を示した斜視説明図、図７は、レンズカバー３０を示した斜視説明図である。図８は、組み立て状態にある前扉４の右側のランプ部材１５の左右方向での断面を示した説明図であり、図９は、同状態にある前扉４の左側のランプ部材１５の左右方向での断面を示した説明図である。尚、図４では、右側のランプ部材１５のみ分解しており、左側のランプ部材１５についても同様に分解できる。
【００１６】
前扉４は、金属（たとえば、アルミニウム）製のフレーム部材２６を有する扉本体２５と、扉本体２５の左右両側部に設置される基板ケース２７、ＬＥＤランプを備えたランプ基板２８、及びレンズ部材２９と、レンズ部材２９等の前方を覆うように設置されるレンズカバー３０とを備えてなる。フレーム部材２６は、遊技領域２ａを遊技者に視認させるための大きな開口５１を中央に有する枠状に複数の金属板を組み付けてなるもので、該フレーム部材２６の下部前面には供給皿７を設置するための皿設置部５２が、上部の左右両隅部にはスピーカ１４、１４を設置するためのスピーカ設置部５３、５３が夫々設けられている。また、フレーム部材２６の左下隅部には、前扉４を機枠本体３に対して片開き可能に蝶着するための軸受部５４が設けられている。尚、５５は、フレーム部材２６の上部前面に設置される装飾部材である。
さらに、フレーム部材２６の左右両側には、基板ケース２７やレンズカバー３０等からなるランプ部材１５を設置するためのランプ設置部が設けられている。該ランプ設置部は、フレーム部材２６の左右の外側縁に沿って上下方向に延設された外壁部３１と、外壁部３１の内側に外壁部３１と平行に延設された第１支持リブ３２と、フレーム部材２６の左右の内側（開口５１側）縁に沿って上下方向に延設された内壁部３３と、内壁部３３の外側に内壁部３３と平行に延設された第２支持リブ３４と、両支持リブ３２、３４間に形成された収納凹部３５とからなる。
【００１７】
外壁部３１は、フレーム部材２６の外側縁に沿って前後方向に立設されたフランジ状部であり、その外側面は、扉本体２５を組み立てた際に、外部に露出する意匠面として成形されている。また、外壁部３１の前端は、左右方向で内側（すなわち第１支持リブ３２側）へ折り曲げられており、外壁部３１の内側面は、後述するレンズカバー３０を設置するための設置面として機能する。さらに、フレーム部材２６の右側にある外壁部３１の後端は、フレーム部材２６の後面よりも後方へ突出しており、前扉４を機枠本体３に対して閉塞した際、図８に示す如くミドル枠５の表面に重なり、前扉４とミドル枠５との隙間を被覆する被覆部３１ａとして機能するようになっている。
第１支持リブ３２は、外壁部３１の内側に所定の距離を隔てて立設されており、外壁部３１と対向している。また、第１支持リブ３２の前端は、外壁部３１側へ折り曲げられており、該第１支持リブ３２と上記外壁部３１とによって、レンズカバー３０を設置するための第１の凹レールが上下方向に構成されている。尚、第１の凹レールの上下端は、上下方向に開口しており、該開口からレンズカバー３０の係合部３６を差し込み可能となっている。
【００１８】
内壁部３３は、フレーム部材２６の内側縁に沿って前後方向に立設されたフランジ状部であり、その内側面は、レンズカバー３０の設置後も外部に露出する意匠面として成形されている。また、内壁部３３の前端は、左右方向で外側（すなわち第２支持リブ３４側）へ折り曲げられており、内壁部３３の外側面は、レンズカバー３０を設置するための設置面として機能する。さらに、内壁部３３の後端は、フレーム部材２６の後面よりも後方へ突出しており、開口５１を被覆するようにフレーム部材２６の後面にガラス板５８、５８（図８や図９に示す）を設置した際、ガラス板５８を支持する支持部材５９の前端と左右方向で被り、ガラス板５８、５８とフレーム部材２６との隙間からのピアノ線等の侵入を防止する被り部３３ａとして機能するようになっている。
第２支持リブ３４は、内壁部３３の外側に所定の距離を隔てて立設されており、内壁部３３と対向している。また、第２支持リブ３４の前端は、内壁部３３側へ折り曲げられており、該第２支持リブ３４と上記内壁部３３とによって、レンズカバー３０を設置するための第２の凹レールが上下方向に構成されている。尚、第２の凹レールの上下端も、上下方向に開口している。
【００１９】
収納凹部３５は、両支持リブ３２、３４間に架設された金属板を後方へ折り曲げて形成された上下方向に長い凹空間であって、該収納凹部３５内には、ランプ部材１５を構成する要素である基板ケース２７、ランプ基板２８、及びレンズ部材２９が収納可能となっている。また、フレーム部材２６の右側にある収納凹部３５の後面には、前扉４を機枠本体３に対して閉塞させた際、機枠本体３側に係止する係止片５７が固着されている。
【００２０】
一方、レンズカバー３０は、上下方向に長い合成樹脂製の帯状部材であって、左右方向で湾曲させ、中央部分を左右両端部よりも前方へ膨出させた形状となっている。また、レンズカバー３０の左右両端部には、第１の凹レール若しくは第２の凹レール内へ差込可能な係合部３６、３６が上下方向に延設されている。
【００２１】
上述したようなフレーム部材２６に対して、左右のランプ設置部へ夫々ランプ部材１５を設置する。すなわち、各収納凹部３５内へ基板ケース２７、ランプ基板２８、レンズ部材２９の順で収納するとともに、収納凹部３５の左右に設けられた第１の凹レール及び第２の凹レール内へレンズカバー３０の係合部３６、３６を差し込み、係合部３６と各凹レールとの係合状態を維持させたままレンズカバー３０を上方又は下方へスライドさせ、レンズカバー３０により収納凹部３５の前方を覆えばよい。
その後、供給皿７を皿設置部５２へ、装飾部材５５をフレーム部材２６の上部前面へ夫々設置するとともに、開口５１を塞ぐように、フレーム部材２６の後面にガラス板５８、５８を設置すれば、前扉４の組み立ては完了となる。尚、供給皿７を設置することにより両凹レールの下部の開口が、装飾部材５５を設置することにより両凹レールの上部の開口が夫々閉塞される。
【００２２】
（本実施形態による効果）
以上のような構成を有するパチンコ機１によれば、金属製のフレーム部材２６の前面にランプ部材１５を設置して前扉４を構成するとともに、フレーム部材２６の左右両側縁に沿って外壁部３１を前後方向へ立設させ、ランプ部材１５を外壁部３１の内側に設置し、パチンコ機１の側面に外壁部３１を露出させている。そのため、たとえ前扉４に対してねじれ方向へ強い負荷をかけ、フレーム部材２６の前面とランプ部材１５の後面との間に隙間を生じさせたところで、その隙間が外面に露出しない。したがって、パチンコ機１の側面から熱したピアノ線等を押し当てて孔を開けるといった不正行為は勿論、前扉４に対してねじれ方向へ強い負荷をかけるといった不正行為についても効果的に防止することができる。
また、金属製の外壁部３１が露出しているため、今までにない斬新なデザインとすることができ、前扉４、ひいてはパチンコ機１の意匠性を向上することができる。
【００２３】
さらに、前扉４を機枠本体３に対して取り付けた際に、蝶着側ではなく開放側となる側縁に立設された外壁部３１の後部を、機枠本体３側へ突出させて被覆部３１ａを形成しており、前扉４を閉塞した際、被覆部３１ａがミドル枠５の表面に重なって前扉４とミドル枠５（すなわち機枠）との隙間を被覆するように構成している。したがって、当該隙間からピアノ線等を侵入させるといった不正行為についても防止することができ、防犯性の一層の向上を図ることができる。
さらにまた、金属製のフレーム部材２６の前面にランプ部材１５、１５を設置している。したがって、ランプ部材１５から生じる熱を外壁部３１からパチンコ機１外へ効率良く逃がすことができ、ランプ部材１５の放熱機構の合理化を図ることができる。
【００２４】
加えて、遊技領域２ａを遊技者に視認させるための開口５１縁に沿って内壁部３３を前後方向へ立設させるとともに、該内壁部３３の後部を後方へ突出させて被り部３３ａを形成しており、開口５１の後面側にガラス板５８、５８を設置した際、該ガラス板５８、５８の支持部材５９と被り部３３ａとが左右方向で重なるように構成している。したがって、ガラス板５８、５８とフレーム部材２６との隙間からのピアノ線等の侵入をも防止することができ、極めて高い防犯効果を発揮することができる。
【００２５】
（本発明の変更例）
なお、本発明の遊技機に係る構成は、上記実施形態に何ら限定されるものではなく、遊技機の全体的な構成は勿論のこと、前扉の構成についても、本発明の趣旨を逸脱しない範囲で必要に応じて適宜変更可能である。
【００２６】
たとえば、上記実施形態では遊技機の一例であるパチンコ機について説明しているが、パチンコ機に何ら限定されることはなく、前面に開口を有する機枠に、該開口を開閉する前扉を蝶着してなるスロットマシーン等の他の遊技機であっても何ら問題はない。
また、外壁部３１に被覆部３１ａを設けるか否かについては勿論のこと、特にスロットマシーン等の遊技機に対しては内壁部３３を形成するか否か等についても適宜変更可能であって、少なくとも前扉４の開放側の側縁に沿って外壁部３１が前方へ立設され、ランプ部材１５等が外壁部３１の内側に設置されていればよい。尚、被覆部３１ａを設けるにあたり、上記実施形態ではミドル枠５の表面に重なるように設けているが、機枠本体３の表面に重なるように設けても何ら問題はない。
【００２７】
さらに、上記実施形態では、後側部材として枠状に成形されたフレーム部材２６を採用しているが、単なる金属板を後側部材として採用することも可能であって、たとえば、前扉の開放側の側縁にのみ帯状の金属板を取り付けたり、ガラス板等を設置する必要がない場合には前扉の後面略全域にわたり金属板を取り付ける等といった構成が考えられる。
加えて、外壁部３１の内側にレンズカバー３０を設置するにあたり、上記実施形態では、外壁部３１と平行に第１支持リブ３２を設けて第１の凹レールを形成するという構成を採用しているが、レンズカバー３０の設置に係る構成に関しても適宜変更可能であって、外壁部３１に内方へ突出する凸部を設ける一方、レンズカバー３０に凸部が嵌入可能な孔を設ける等の構成を採用することも可能である。
【符号の説明】
【００２８】
１・・パチンコ機（遊技機）、３・・機枠本体（機枠）、４・・前扉、５・・ミドル枠（機枠）、１５・・ランプ部材（前側部材）、２５・・扉本体、２６・・フレーム部材（後側部材）、２７・・基板ケース、２８・・ランプ基板、２９・・レンズ部材、３０・・レンズカバー、３１・・外壁部、３１ａ・・被覆部、３２・・第１支持リブ、３３・・内壁部、３３ａ・・被り部、３４・・第２支持リブ、３５・・収納凹部、３６・・係合部、５１・・開口、５８・・ガラス板、５９・・支持部材。
【図１】
0005608895.tif 000002
【図２】
0005608895.tif 000003
【図３】
0005608895.tif 000004
【図４】
0005608895.tif 000005
【図５】
0005608895.tif 000006
【図６】
0005608895.tif 000007
【図７】
0005608895.tif 000008
【図８】
0005608895.tif 000009
【図９】
0005608895.tif 000010